(57)【要約】【課題】  電機掃除機の小型化を図るとともに、操作性の向上を図ることを可能とする電機掃除機を提供する。【解決手段】  掃除機本体１の一方の側面には、一方端が吸込口体６に連結され、塵埃を集塵室３へ導くための第１吸気路７が配設されている。また、第１吸気路７と並列に、掃除機本体１の他方の側面には、集塵室３によって濾過された空気を電動送風機２へ導くための第２吸気路８が配設されている。吸込口体６から吸引された塵埃は、接続管９により第１吸気路７の下端に導かれ、第１吸気路７を通過して集塵室３に送り込まれる。集塵室３によって濾過された空気は第２吸気路８によって電動送風機２へ送り込まれ、掃除機本体１の外側に排気される。【選択図】        図１
2006061369.tif 000002
【特許請求の範囲】
【請求項１】
電動送風機を内蔵する掃除機本体と、
前記掃除機本体の前部に設けられる集塵室と、
前記掃除機本体の下方に配設され塵埃を吸引する吸込口体と、
前記集塵室の後方であって前記掃除機本体の上方に配設される操作用のハンドル体と、
前記掃除機本体の一方の側面に配設され、一方が前記吸込口体に連通し他方が前記集塵室に連通する第１吸気路と、
前記掃除機本体の他方の側面に配設され、一方が前記集塵室に連通し他方が前記電動送風機に連通する第２吸気路と、を備え、
前記吸込口体から吸引された塵埃は、前記第１吸気路に導かれた後に前記集塵室に送り込まれ、前記集塵室によって塵埃が濾過された空気は前記第２吸気路によって電動送風機へ送り込まれ、前記掃除機本体の外側に排気される空気流れが形成されることを特徴とする、電気掃除機。
【請求項２】
前記ハンドル体は前記掃除機本体に着脱自在に取付けられ、
前記ハンドル体に中空形状の吸気路を形成し、
前記吸込口体に連結された第１吸気路の他方を、中空形状の吸気路を有する前記操作用ハンドル体に連結し、
前記ハンドル体の後部には、可撓性ホースの一端が接続され、
前記可撓性ホースの他端が前記集塵室と連結されることを特徴とする、請求項１に記載の電気掃除機。
【請求項３】
前記吸込口体と吸気路とを連結する接続管と、前記操作用ハンドル体との間の前記掃除機本体内にコードリールを配設し、
前記掃除機本体の側面に設けた前記第１および第２吸気路の、それぞれの外側の間の間隔によって規定される当該電気掃除機の幅寸法と、前記コードリールの最大径寸法とをほぼ等しくしたことを特徴とする、請求項１または２に記載の電気掃除機。
【請求項４】
前記集塵室の形態を、塵埃を遠心分離するサイクロン式の集塵室としたことを特徴する、請求項１から３のいずれかに記載の電気掃除機。
【請求項５】
前記掃除機本体の上部に、アーチ形状の持ち運び用把手を設置したことを特徴とする、請求項１〜４のいずれかに記載の電気掃除機。
【発明の詳細な説明】
【技術分野】
【０００１】
本発明は、一般家庭で使用される電気掃除機に関する。
【背景技術】
【０００２】
下記特許文献１に開示される電機掃除機の概略構成を、図１０および図１１に示す。この電機掃除機は、電動送風機２４を収容した掃除機本体２３と、この掃除機本体２３の下方に設けられ、塵埃を吸引するための吸込具６９と、掃除機本体２３に台座部４９を設け、この台座部４９に対して着脱自在な集塵器５４とが設けられている。また、吸込具６９と連通し掃除機本体２３の一方の側面に設けた接続口７０と、掃除機本体２３の他方の側面に設けた塵埃吸気口６０とがホース６６にて連結されている。ホース６６と接続口７０との連結には、接続口７０に対して着脱自在な接続管６７が配設されている。さらに、ホース６６は、集塵器５４上方に設けた本体運搬用の把手６５の上方に配設される構成が採用されている。
【特許文献１】特開２００３−６１８７８号公報
【発明の開示】
【発明が解決しようとする課題】
【０００３】
上述した電機掃除機の構成によれば、その電気掃除機の運搬時には、把手６５を用いて運搬することになるが、把手６５の上にはホース６６が配設されているため、電気掃除機が大型化する問題がある。また、把手６５を握る際にはホース６６も同時に握る必要が生じ、使用性の悪い一面があった。また、ホース６６は一方の先端に接続管６７が着脱自在に設けられており、接続口７０からホースを外して使用する場合、把手６５の上に配置されるホース６６も把手６５から外れるが、この場合には、把手６５の厚みが薄くなるために、把手６５が握り難くなる問題もある。したがって、この発明は上記課題を解決するためになされたものであり、電機掃除機の小型化を図るとともに、操作性の向上を図ることを可能とする電機掃除機を提供することにある。
【課題を解決するための手段】
【０００４】
この発明に基づいた電機掃除機においては、電動送風機を内蔵する掃除機本体と、上記掃除機本体の前部に設けられる集塵室と、上記掃除機本体の下方に配設され塵埃を吸引する吸込口体と、上記集塵室の後方であって上記掃除機本体の上方に配設される操作用のハンドル体と、上記掃除機本体の一方の側面に配設され、一方が上記吸込口体に連通し他方が上記集塵室に連通する第１吸気路と、上記掃除機本体の他方の側面に配設され、一方が上記集塵室に連通し他方が上記電動送風機に連通する第２吸気路とを備え、上記吸込口体から吸引された塵埃は、上記第１吸気路に導かれた後に上記集塵室に送り込まれ、上記集塵室によって塵埃が濾過された空気は上記第２吸気路によって電動送風機へ送り込まれ、上記掃除機本体の外側に排気される空気流れが形成されることを特徴としている。
【発明の効果】
【０００５】
この発明に基づいた電気掃除機によれば、吸込口体から吸引された塵埃は、第１吸気路に導かれ、第１吸気路を通過して集塵室に送り込まれる。集塵室によって濾過された空気は第２吸気路によって電動送風機へ送り込まれ、掃除機本体の外側に排気されることになる。このように、掃除機本体の側面に設けた第１吸気路および第２吸気路を用いて、塵埃を吸込口体から取り込み、集塵室を経て、電動送風機へ至る一連の空気の流れが形成されることから、ハンドル体を取囲むような吸気路が不要となり、掃除機本体の小型化を可能としている。また、ハンドル体を利用した吸気路を形成する必要がないため、ハンドル体の形状を持ちやすい形状に設計でき、電気掃除機の操作性の向上を図ることを可能としている。
【発明を実施するための最良の形態】
【０００６】
以下、本発明に基づいた各実施の形態における電気掃除機の構造について、図を参照しながら説明する。なお、各実施の形態において、同一または相当部分については、同一の参照番号を付すことにより、重複する説明は繰り返さないこととする。
【０００７】
（実施の形態１）
図１から図３を参照して、本実施の形態における電気掃除機の構造について説明する。なお、図１は、本実施の形態における電気掃除機を正面から見た場合の内部構造を示す図であり、図２は、図１中ＩＩ−ＩＩ線矢視断面図であり、図３は、図１中ＩＩ−ＩＩ線矢視断面に対応する要部断面図である。
【０００８】
図１から図３を参照して、本実施の形態における電気掃除機は、掃除機本体１を備え、電動送風機２が内蔵されている。掃除機本体１の前側であって電動送風機２の上部には、集塵室３が掃除機本体１に対して着脱自在に設置されている。掃除機本体１の下方部には、吸込口体６が配設されている。集塵室３には、集塵袋４が内蔵されており、集塵室３の後方であって掃除機本体１の一方の側面には、一方端が吸込口体６に連結され、塵埃を集塵室３へ導くための第１吸気路７が配設されている。また、第１吸気路７と並列に、掃除機本体１の他方の側面には、集塵室３によって濾過された空気を電動送風機２へ導くための第２吸気路８が配設されている。第１吸気路７の上端においては、集塵室３に連通する曲がり管１０が配設されている。集塵室３と第２吸気路８とは、接続管１１により連通されている。吸込口体６は、接続管９により第１吸気路７の下端に接続されている。集塵室３の後方であって掃除機本体１の上部領域には、操作用のハンドル体５が設置されている。また、吸込口体６と第１吸気路７とを連結する接続管９と、掃除機本体１の上部に設けた曲がり管１０との間にコードリール１５が配設されている。
【０００９】
上記構成からなる電気掃除機によれば、吸込口体６から吸引された塵埃は、接続管９により第１吸気路７の下端に導かれ、第１吸気路７を通過して集塵室３に送り込まれる。集塵室３によって濾過された空気は第２吸気路８によって電動送風機２へ送り込まれ、掃除機本体１の外側に排気されることになる。このように、掃除機本体１の側面に設けた第１吸気路７および第２吸気路８を用いて、塵埃を吸込口体６取り込み、集塵室３を経て、電動送風機２へ至る一連の空気の流れが形成されることから、ハンドル体５を取囲むような吸気路が不要となり、掃除機本体１の小型化を可能としている。また、ハンドル体５を利用した吸気路を形成する必要がないため、ハンドル体５の形状を持ちやすい形状に設計でき、電気掃除機の操作性の向上を図ることを可能としている。
【００１０】
（実施の形態２）
以下、図４〜図６を参照して、本実施の形態における電気掃除機の構造について説明する。なお、図４は、本実施の形態における電気掃除機を背面から見た場合の内部構造を示す図であり、図５は、図４中Ｖ−Ｖ線矢視断面図であり、図６は、図５中ＶＩ−ＶＩ線矢視断面に対応する要部断面図である。
【００１１】
本実施の形態における電気掃除機の特徴は、操作用のハンドル体５は、掃除機本体１の保持部１２を介して着脱自在に取付けられており、中空形状の吸気路を形成する構成を有している。また、ハンドル体５の開口端５ａは、ハンドル体５を保持部１２に収容した状態においては、吸込口体６に連結している第１吸気路７の上端側に設けられた曲がり管１０の開口端１０ａと連通している。また、ハンドル体５の後部には、可撓性ホース１３の一端が接続され、この可撓性ホース１３の他端が連結管１４を介して集塵室３に連結されている。
【００１２】
この構成によれば、操作用のハンドル体５を掃除機本体１の保持部１２に収納した状態においては、上記実施の形態１の場合と同様の電気掃除機の使用形態が得られる。一方、操作用のハンドル体５を掃除機本体１の保持部１２から取り外した状態においては、ハンドル体５の開口端５ａが塵埃の吸込口となり、また、可撓性ホース１３により自由自在にハンドル体５を移動させることが可能となることから、自動車内、机上、階段、その他狭い領域での掃除等を容易に行なうことが可能となる。
【００１３】
また、図１に示すように、吸込口体６と第１吸気路７を連結する接続管９と掃除機本体１の上部に設けたハンドル体５の保持部１２との間の空間１５Ａにコードリール１５を配設している。また、掃除機本体３の側面に設けた第１吸気路７および第２吸気路８の、それぞれの外側の間の間隔によって規定される電気掃除機の幅寸法（Ｗ）と、コードリール１５の最大径寸法（Ｄ１）とをほぼ等しくするか、または、最大径寸法（Ｄ１）が幅寸法（Ｗ）内に収まるように、空間１５Ａにコードリール１５を配設している。これにより、掃除機本体１のスペースを有効利用できるとともに、電気掃除機の小型化を可能としている。
【００１４】
（実施の形態３）
以下、図７および図８を参照して、本実施の形態における電気掃除機の構造について説明する。なお、図７は、本実施の形態における電気掃除機を正面から見た場合の内部構造を示す図であり、図８は、図７中ＶＩＩＩ−ＶＩＩＩ線矢視断面図である。
【００１５】
本実施の形態における電気掃除機の特徴は、掃除機本体１に着脱自在に設置された集塵室３を、塵埃を遠心分離して補塵するサイクロン式の集塵室とした点にある。サイクロン式の集塵室３は、掃除機本体１とパッキン１９を介して密着しており、ダストカップ１７の内部に内筒１６を備え、ダストカップ１７の内部で塵埃を遠心分離し、内筒１６を通過した気流がダストカップ１７上部に具備されたフィルタ１８を通過し排出される。このため第１吸気路７の接続方法は、上記各実施の形態の場合と同等であるが、図８に示すように、ダストカップ１７で濾過された気流を電動送風機２へ導くための第２吸気路８と集塵室３の出口との接続方法は、サイクロン式の集塵室３の上部すなわちダストカップ１７の上部に具備されたフィルタ１８を通過した後連結する。
【００１６】
この構成により、掃除機本体１の構成を大きく変えることなく、２種類の集塵方式を一つの掃除機本体１で具現化できる。その結果、集塵室３の付け替えにより、集塵方式の異なる２種類の掃除機を一つの掃除機本体１にて提供することが可能となる。
【００１７】
（実施の形態４）
以下、図９を参照して、本実施の形態における電気掃除機の構造について説明する。なお、図９は、本実施の形態における電気掃除機を正面から見た場合の内部構造を示す図である。
【００１８】
本実施の形態における電気掃除機の特徴は、掃除機本体１の上方であって、第１吸気路７と第２吸気路８の上部にアーチ形状の持ち運び用把手２０を設けた点にある。この構成により、掃除機本体１の持ち運びが容易となる。また、上記実施の形態２に示したように、操作用のハンドル体５を掃除機本体１から取外し、ハンドル体５の先端において塵埃を吸引する場合、アーチ形状の持ち運び用把手２０により掃除機本体１を容易に持ち運びすることが可能となる。
【００１９】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００２０】
【図１】実施の形態１における電気掃除機を正面から見た場合の内部構造を示す図である。
【図２】図１中ＩＩ−ＩＩ線矢視断面図である。
【図３】図１中ＩＩ−ＩＩ線矢視断面に対応する要部断面図である。
【図４】実施の形態２における電気掃除機を背面から見た場合の内部構造を示す図である。
【図５】図４中Ｖ−Ｖ線矢視断面図である。
【図６】図５中ＶＩ−ＶＩ線矢視断面に対応する要部断面図である。
【図７】実施の形態３における電気掃除機を正面から見た場合の内部構造を示す図である。
【図８】図７中ＶＩＩＩ−ＶＩＩＩ線矢視断面図である。
【図９】実施の形態４における電気掃除機を正面から見た場合の内部構造を示す図である。
【図１０】特許文献１に開示される電気掃除機の側方断面図である。
【図１１】特許文献１に開示される電気掃除機の前方断面図である。
【符号の説明】
【００２１】
１  掃除機本体、２  電動送風機、３  集塵室、４  集塵袋、５  ハンドル体、５ａ  開口端、６  吸込口体、７  第１吸気路、８  第２吸気路、９  接続管、１０  曲がり管、１０ａ  開口端、１１  接続管、１２  保持部、１３  可撓性ホース、１４  連結管、１５  コードリール、１５Ａ  空間、１６  内筒、１７  ダストカップ、１８  フィルタ、１９  パッキン、２０  持ち運び用把手。
【図１】
2006061369.tif 000003
【図２】
2006061369.tif 000004
【図３】
2006061369.tif 000005
【図４】
2006061369.tif 000006
【図５】
2006061369.tif 000007
【図６】
2006061369.tif 000008
【図７】
2006061369.tif 000009
【図８】
2006061369.tif 000010
【図９】
2006061369.tif 000011
【図１０】
2006061369.tif 000012
【図１１】
2006061369.tif 000013